(57)【特許請求の範囲】
【請求項１】
筒状の外装ケースと、複数のレンズ群とを備えた投写用レンズであって、
前記外装ケースは、側面に前記複数のレンズ群のうち少なくともひとつのレンズの固定位置に対応して穿設されたレンズシフト用貫通孔と、前記レンズの一方の面の外縁部が当接する第１の段差面と、可撓性または弾性を具備するスペーサがリィテイナによって固定される第２の段差面とを備え、
前記レンズの一方の面と他方の面との距離は、前記第１の段差面と前記第２の段差面との距離よりも大きく、
前記第２の段差面に固定された前記スペーサが、前記レンズの他方の面の外縁部に線状または点状に当接して弾性変形することによって、前記スペーサが前記レンズを均衡に支持して前記レンズを、前記外装ケースの軸芯に垂直な面方向に摺動自在に前記外装ケースに固定していることを特徴とする投写用レンズ。
【請求項２】
前記第１の段差面が、円環状突条、円周上に配置された円弧状突条または略山状突起を有してなることを特徴とする請求項１記載の投写用レンズ。
【請求項３】
前記レンズがレンズアダプタに収納され、前記レンズアダプタの外縁部が、円環状突条、円周上に配置された円弧状突条または略山状突起を有してなることを特徴とする請求項１に記載の投写用レンズ。
【請求項４】
前記スペーサが、円環状突条、円周上に配置された円弧状突条または略山状突起を有してなることを特徴とする請求項１乃至３の何れかに記載の投写用レンズ。
【請求項５】
前記スペーサが、面外方向に変形自在な板バネによって構成されてなることを特徴とする請求項１乃至３の何れかに記載の投写用レンズ。
【請求項６】
前記レンズに隣接して配置された隣接レンズが隣接レンズアダプタに収納され、前記リィテイナが前記隣接レンズアダプタによって構成されてなることを特徴とする請求項１乃至５の何れかに記載の投写用レンズ。
【請求項７】
前記レンズは接着剤により固定されていることを特徴とする請求項１乃至６の何れかに記載の投写用レンズ。
【請求項８】
前記外装ケースに接着剤注入用の貫通孔を形成したことを特徴とする請求項１乃至７の何れかに記載の投写用レンズ。
【請求項９】
光源と、該光源から出た光の照射状態を均一化するための手段とを備えた照明光源系と、
前記照明光源系から出射された光を所定の色光に分離する色分離光学系と、
前記色分離光学系からの各色光を画像情報に従って光変調する光変調装置と、
前記光変調装置において変調された光を投写する投写レンズとを有してなるプロジェクタにおいて、
前記投写レンズは、請求項１乃至８の何れかに記載の投写用レンズを備えてなることを特徴とするプロジェクタ。
【請求項１０】
筒状の外装ケースと、複数のレンズ群とを備えた投写用レンズの製造方法であって、
前記複数のレンズ群のうちの少なくともひとつのレンズの一方の面の外縁部を、前記外装ケースに形成された第１の段差面に当接し、前記第１の段差面との距離が前記レンズの一方の面と他方の面との距離より小さくなるように形成された第２の段差面に可撓性または弾性を具備するスペーサをリィテイナにより固定し、前記第２の段差面に固定された前記スペーサを弾性変形させて、前記レンズの他方の面の外縁部を押さえることにより、前記レンズを前記外装ケースに保持させる工程と、
前記外装ケースの側面に形成された前記レンズシフト用貫通孔からレンズシフト調整部材により前記レンズをシフト調整する工程とを備えることを特徴とする投写用レンズの製造方法。
【発明の詳細な説明】
【０００１】
【発明の属する技術分野】
本発明は、投写用レンズ、およびその投写用レンズを装備したプロジェクタに関するものである。
【０００２】
【従来の技術】
図１３は従来の投写用レンズを示す断面図である。図１３において、投写用レンズ９００は、レンズ９１０と、レンズ９１０が内部に固定された鏡筒９２０（以下、外装ケース９２０と称す）と、レンズ９１０を外装ケース９２０に固定する固定手段９３０を有している。
【０００３】
外装ケース９２０は第１の外装ケース９２１と、第１の外装ケース９２１に摺動自在に設置された第２の外装ケース９２２により構成され、両者の軸心は一致している。
投写用レンズ９００は第１の外装ケース９２１に固定された第１群レンズ９１１、第２群レンズ９１２および第３群レンズ９１３と、第２の外装ケース９２２に固定された第４群レンズ９１４の合計４群のレンズを有している。
固定手段９３０は各群のレンズをそれぞれ外装ケースに固定するものを総称する。
第２群レンズ９１２のレンズアダプタ９０８の突堤９０７は、内側がレンズチルト用偏心ピン９３１に当接し、外側がＯリング９６０（第１の外装ケース９２１に螺合したＯリング抑え９７０によって支持されている）によって押し付けられている。すなわち、第２群レンズ９１２はＯリング９６０を介して固定されている。
図１４は従来の投写用レンズにおけるレンズチルト用偏心ピンを説明する模式図であって、（ａ）は第１の外装ケース９２１の軸心に垂直な面における断面図、（ｂ）は一部を断面にした側面図である。
第１の外装ケース９２１の側面に、外装ケースの軸心に垂直な面内（以下、ＸＹ面と称す）にレンズチルト用貫通孔９２３が円周方向で均等間隔（１２０°）に穿設されている（図中、それぞれの方向について、ｓ、ｔおよびｕを付している）。そして、レンズチルト用貫通孔９２３にはそれぞれレンズチルト用偏心スリーブ９３２が回転自在に設置されている。
そして、レンズチルト用偏心スリーブ９３２を回転させることによって、レンズチルト用偏心ピン９３１がＸＹ面に対して垂直方向にレンズアダプタ９０８を案内するから、レンズアダプタ９０８が係止する第２群レンズ９１２は傾斜することになる。すなわち、第２群レンズ９１２には「煽り（あおり、以下、チルト調整と称す）」が付与されたことになる（例えば、特許文献１参照）。
【０００４】
【特許文献１】
特開２０００−６６０７６号公報（第３頁、図３）
【０００５】
【発明が解決しようとする課題】
しかしながら、従来の技術においては、レンズ群がレンズチルト用偏心ピンによって固定されているからチルト調整自在であるという効果を奏するものの、レンズ群の光軸の傾きを変えないで平行移動する（たとえば、外装ケースの軸心と平行に移動すること等、以下、シフト調整と称す）ができないという問題点がある。したがって、当該レンズ群が設置される外装ケースとの位置関係あるいは隣接する他のレンズ群との位置関係において、光軸のシフト調整が必要な場合であっても、これに対応することができなかった。
【０００６】
本発明は、このような問題点を解決するためになされたものであり、レンズ群（１枚のレンズを含む）のシフト調整が可能であって、簡単な構造でシフト調整が容易な投写用レンズおよび投写用レンズの製造方法ならびにこれを装備したプロジェクタを得ることを目的とする。
【０００７】
【課題を解決するための手段】
本発明に係る第１の投写用レンズは、筒状の外装ケースと、複数のレンズ群とを備えた投写用レンズであって、前記外装ケースは、側面に前記複数のレンズ群のうち少なくともひとつのレンズの固定位置に対応して穿設されたレンズシフト用貫通孔と、前記レンズの一方の面の外縁部が当接する第１の段差面と、可撓性または弾性を具備するスペーサがリィテイナによって固定される第２の段差面とを備え、前記レンズの一方の面と他方の面との距離は、前記第１の段差面と前記第２の段差面との距離よりも大きく、前記第２の段差面に固定された前記スペーサが、前記レンズの他方の面の外縁部に線状または点状に当接して弾性変形することによって、前記スペーサが前記レンズを均衡に支持して前記レンズを、前記外装ケースの軸芯に垂直な面方向に摺動自在に前記外装ケースに固定されてなる。
これによれば、レンズ（レンズ群を含む）の外周面（レンズアダプタの外周面を含む）が可撓性または弾性を具備するスペーサを介して挾持されているから、レンズは、ガタつかず安定して保持され、且つ、平行移動（シフト）自在な状態で保持される。
これにより、レンズシフト用貫通孔に挿入したレンズシフト用調整部材の先端を、レンズの外周面に押し当てることで、該先端が当接したレンズをこれに応じて偏位させることが可能となる。すなわち、レンズはチルトすることなく（光軸が外装ケースの軸心に対して角度を変えないで）シフトすることが可能になる。
さらに、レンズシフト用調整棒を撤去しても、レンズは移動する（ズレル）ことなく調整後のレンズの位置が保たれるから、該シフト調整が終了してレンズシフト用調整棒を撤去した後に、レンズを固定することができる。
【０００８】
また、本発明に係る第１の投写用レンズは、外装ケースの第１の段差面が、円環状突条、円周上に配置された円弧状突条または略山状突起を有してなることが好ましい。
これによれば、連続または断続した円環状の線状形状（限定された幅）、あるいは円周上に点在する点状形状（限定された面積）の当接部によって、レンズの外縁部が均衡に支持されるから、レンズは安定して確実に保持され、且つ、レンズシフト用調整部材を押し当ててレンズをシフト調整する際には、スムーズにレンズをシフト移動させることができ、レンズをチルトさせる事無く容易にレンズのシフト調整が可能となる。
【０００９】
また、本発明に係る第１の投写用レンズは、レンズがレンズアダプタに収納され、レンズアダプタの外縁部が、円環状突条、円周上に配置された円弧状突条または略山状突起を有してなることが好ましい。
これによれば、連続または断続した円環状の線状形状（限定された幅）、あるいは円周上に点在する点状形状（限定された面積）の当接部によって、レンズを収納したレンズアダプタの外縁部が均衡に支持されるから、レンズは安定して確実に保持され、且つ、レンズシフト用調整部材を押し当ててレンズをシフト調整する際には、スムーズにレンズをシフト移動させることができ、レンズをチルトさせる事無く容易にレンズのシフト調整が可能となる。さらに、レンズはレンズアダプタにより保護されるので、レンズシフト用調整部材からの衝撃、及び、外部からの衝撃等によるレンズが破損することを防ぐことができる。
【００１０】
また、本発明に係る第１の投写用レンズは、スペーサが片面または両面に、円環状突条、円周上に配置された円弧状突条または略山状突起を有してなることが好ましい。
これによれば、連続または断続した円環状の線状形状（限定された幅）、あるいは円周上に点在する点状形状（限定された面積）の当接部によって、レンズの外縁部またはレンズを収納したレンズアダプタの外縁部が均衡に支持されるから、レンズは安定して確実に保持され、且つ、レンズシフト用調整部材を押し当ててレンズをシフト調整する際には、スムーズにレンズをシフト移動させることができ、レンズをチルトさせる事無く容易にレンズのシフト調整が可能となる。
【００１１】
また、本発明に係る第１の投写用レンズは、スペーサが、面外方向に変形自在な板バネによって構成されてなることが好ましい。
これによれば、スペーサ全体がバネとなるので、より所望の力でレンズを外装ケースに保持することが可能となる。また、さらに、板バネが円周方向で波打った円環である場合には、レンズの外縁部に当接する部分が、略放射状に配置された複数の線状形状（限定された幅）、あるいは円周上に点在する点状形状（限定された面積）の当接部によって、レンズの外縁部またはレンズを収納したレンズアダプタの外縁部をより均衡に、且つ、所望の力で支持できるから、より一層レンズは安定して確実に保持され、且つ、レンズシフト用調整部材を押し当ててレンズをシフト調整する際には、スムーズにレンズをシフト移動させることができ、レンズをチルトさせる事無く容易にレンズのシフト調整が可能となる。
【００１２】
また、本発明に係る第１の投写用レンズは、レンズに隣接して配置された隣接レンズが隣接レンズアダプタに収納され、リィテイナが該隣接レンズアダプタによって構成されてなることが好ましい。
これによれば、スぺーサを保持する専用の保持手段（以下、リィテイナと称す）を設置する必要がなくなるから、部品点数が削減され、投写用レンズの軽量化、組立の迅速化、および製造コストの低減が図られる。また、スペーサの押し付けもより確実になる。
【００１３】
さらに、本発明に係る第２の投写用レンズは、筒状の外装ケースと、複数のレンズ群とを備えた投写用レンズであって、外装ケースは、側面にレンズシフト用貫通孔およびクレードルチルト用貫通孔が設けられており、クレードルチルト用貫通孔には、クレードルチルト用偏心スリーブが回転自在に設置されており、クレードルチルト用偏心スリーブの内周部には、クレードルチルト用偏心スリーブの回転中心から偏心した位置に中心を有するクレードルチルト用偏心ピンが嵌着されており、クレードルチルト用偏心ピンは、外装ケースの軸心に対して傾斜自在な筒状のクレードルを案内しており、複数のレンズ群のうちの少なくともひとつのレンズの一方の面の外縁部は、クレードルの内側の一方の側面に当接しており、レンズの他方の面の外縁部と、クレードルの内側の他方の側面との間に、可撓性または弾性を具備するクレードルスペーサを介在させて、レンズがクレードルに固定されてなる。
これによれば、レンズを収納した揺りかご（以下、クレードルと称す）を偏心ピンによって外装ケースの軸心に対する傾斜を操作しレンズのチルト調整が可能であるとともに、クレードルスペーサを介してクレードルに保持されたレンズを、レンズシフト用貫通孔に挿入したレンズシフト用調整部材の先端を、レンズの外周面に押し当てることで、該先端が当接したレンズをこれに応じて偏位させることが可能となる。すなわち、レンズのチルト調整とシフト調整の両方の調整を行うことが可能となるから、より精密にレンズの位置調整が可能となる。
さらに、調整後のレンズの位置が、移動（ズレル）することなく保持されるから、その状態のまま、レンズを固定することができる。
【００１６】
また、本発明に係る第２の投写用レンズは、クレードルスペーサが、円環状突条、円周上に配置された円弧状突条または略山状突起を有してなることが好ましい。
これによれば、連続または断続した円環状の線状形状（限定された幅）、あるいは円周上に点在する点状形状（限定された面積）の当接部によって、レンズを収納したレンズアダプタの外縁部が均衡に支持されるから、レンズまたはレンズを収納したレンズアダプタは安定して確実に保持され、且つ、レンズシフト用調整部材を押し当ててレンズをシフト調整する際には、スムーズにレンズをシフト移動させることができ、レンズをチルトさせる事無く容易にレンズのシフト調整が可能となる。
【００１７】
また、本発明に係る第２の投写用レンズは、クレードルスペーサが、面外方向に変形自在な板バネによって構成されてなることが好ましい。
これによれば、スペーサ全体がバネとなるので、より所望の力でレンズを外装ケースに保持することが可能となる。また、さらに、板バネが円周方向で波打った円環である場合には、レンズの外縁部に当接する部分が、略放射状に配置された複数の線状形状（限定された幅）、あるいは円周上に点在する点状形状（限定された面積）の当接部によって、レンズの外縁部またはレンズを収納したレンズアダプタの外縁部をより均衡に、且つ、所望の力で支持できるから、より一層レンズは安定して確実に保持され、且つ、レンズシフト用調整部材を押し当ててレンズをシフト調整する際には、スムーズにレンズをシフト移動させることができ、レンズをチルトさせる事無く容易にシフト調整が可能となる。
【００１８】
また、本発明に係る第２の投写用レンズは、外装ケースに接着剤注入用の貫通孔を形成されてなることが好ましい。
これによれば、レンズの位置調整を行うと同時に接着剤の注入を行うことができるから、レンズの固着作業を迅速に行うことが可能となる。
【００１９】
さらに、本発明に係るプロジェクタは、光源と、該光源から出た光の照射状態を均一化するための手段とを備えた照明光源系と、該照明光源系から出射された光を所定の色光に分離する色分離光学系と、該色分離光学系からの各色光を画像情報に従って光変調する光変調装置と、該光変調装置において変調された光を投射する投射レンズとを有してなるプロジェクタにおいて、前記投射レンズを形成するレンズが、前記投写用レンズを備えてなる。
これによれば、レンズのシフト調整がされた投写用レンズ、あるいはレンズのシフト調整およびチルト調整された投写用レンズが装備されているから、プロジェクタの品質が向上する。
【００２０】
また、本発明に係る第１の投写レンズの製造方法は、筒状の外装ケースと、複数のレンズ群とを備えた投写用レンズの製造方法であって、前記複数のレンズ群のうちの少なくともひとつのレンズの一方の面の外縁部を、前記外装ケースに形成された第１の段差面に当接し、前記第１の段差面との距離が前記レンズの一方の面と他方の面との距離より小さくなるように形成された第２の段差面に可撓性または弾性を具備するスペーサをリィテイナにより固定し、前記第２の段差面に固定された前記スペーサを弾性変形させて、前記レンズの他方の面の外縁部を押さえることにより、前記レンズを前記外装ケースに保持させる工程と、
前記外装ケースの側面に形成された前記レンズシフト用貫通孔からレンズシフト調整部材により前記レンズをシフト調整する工程とを備える。
これにより、レンズシフト用貫通孔に挿入したレンズシフト用調整部材の先端を、レンズの外周面に押し当てることで、該先端が当接したレンズをこれに応じて偏位させ、レンズの位置のシフト調整することで、複数のレンズ群で構成される投写用レンズの、レンズ間の各種収差を解消した高品位な投写用レンズを製造することが可能となる。
【００２１】
また、本発明に係る第２の投写レンズの製造方法は、筒状の外装ケースと、複数のレンズ群とを備えた投写用レンズの製造方法であって、複数のレンズ群のうちの少なくともひとつのレンズの一方の面の外縁部をクレードルの内側の一方の側面に当接し、レンズの他方の面の外縁部とクレードルの内側の他方の側面との間に可撓性または弾性を具備するクレードルスペーサを介在させて、レンズをクレードルに保持させる工程と、外装ケースに形成されたクレードルチルト用貫通孔に回転自在に設置されたクレードルチルト用偏心スリーブに嵌着された、クレードルチルト用偏心スリーブの回転中心から偏心した位置に中心を有するクレードルチルト用偏心ピンによって、外装ケースの軸心に対して傾斜自在な筒状のクレードルを案内して、レンズの傾斜調整をする工程と、外装ケースの側面に形成されたレンズシフト用貫通孔からレンズシフト調整部材によりレンズをシフト調整する工程とを備える。
これによれば、レンズを収納した揺りかご（以下、クレードルと称す）を偏心ピンによって外装ケースの軸心に対する傾斜を操作しレンズのチルト調整し、且つ、クレードルスペーサを介してクレードルに保持されたレンズを、レンズシフト用貫通孔に挿入したレンズシフト用調整部材の先端を、レンズの外周面に押し当てることで、該先端が当接したレンズをこれに応じて偏位させてレンズのシフト調整することで、より一層、複数のレンズ群で構成される投写用レンズの、レンズ間の各種収差を解消した高品位な投写用レンズを製造することが可能となる。すなわち、レンズのチルト調整とシフト調整の両方の調整を行うのでより精密にレンズの位置調整がされた投写用レンズを製造することが可能となる。
【００２２】
【発明の実施の形態】
［実施の形態１］
図１は本発明の実施の形態１に係る投写用レンズを示す断面図であって、（ａ）は全体図、（ｂ）は部分拡大図である。図１において、２００は投写用レンズ、２１０は第２群レンズ（以下、レンズと称す）、レンズ２１０が内部に固定された鏡筒２２０は外装ケース（以下、外装ケースと称す）、２５０はレンズシフト用調整棒、２６０は可撓性または弾性を具備するスペーサ、２７０はリィテイナである。
【００２３】
（外装ケース）
外装ケース２２０は第１の外装ケース２２１と、第１の外装ケース２２１に摺動自在に設置された第２の外装ケース２２２により構成され、両者の軸心は一致している。
【００２４】
（レンズ）
投写用レンズ２００は第１の外装ケース２２１に固定された第１群レンズ２０１、第２群レンズ２１０および第３群レンズ２１３と、第２の外装ケース２２２に固定された第４群レンズ２１４の合計４群のレンズを有している。
第１群レンズ２０１は外周面に円環状の固定用治具（以下、レンズアダプタと称す）２７０が装着されている。
また、第２群レンズ２１０は凹面レンズと凸面レンズを組み合わせて形成されている。
【００２５】
（固定手段）
第１群レンズ２０１は固定爪２７２によってレンズアダプタ２７０に装着され、レンズアダプタ２７０のフランジが第１の外装ケース２２１に固定ネジ２７３によって直接固定されている。
第２群レンズ２１０の固定手段は、詳細を後述する。
第３群レンズ２１３は固定爪２３８によって、第１の外装ケース２２１に固定されている。
第４群レンズ２１４は固定爪２３８によって第２の外装ケース２２２に、固定されている。
なお、前記固定部に接着剤が塗布される場合がある。
【００２６】
（投写用レンズ）
図１において、外装ケース２２１の内周面に第１の段差面２２３および第２の段差面２２４が設けられている。第１の段差面２２３および第２の段差面２２４は外装ケース２２１の軸心に垂直な平面（以下、ＸＹ面と称す）に平行な面である。また、外装ケース２２１の側面にはレンズ２１０の固定位置に対応したＸＹ面に平行な面（以下、該平行な面をＸＹ面と称する場合がある）内で均等配置された複数のレンズシフト用貫通孔２２５が穿設されている。
そして、レンズ２１０の外縁部の一方の端面２１１は第１の段差面２２３に摺動自在に当接し、他方の端面２１２にはスペーサ２６０のスペーサ突条２６１が摺動自在に押し付けられている。また、スペーサ２６０は押し付け手段（以下、リィテイナと称す）２７０により保持されている。すなわち、スペーサ２６０が可撓性または弾性を具備し、さらに、スペーサ突条２６１が円環状であるため端面２１２とスペーサ２６０（厳密にはスペーサ突条２６１）との当接部が所定の幅を持った線状になるから、レンズ２１０は外縁部を均衡に支持され、ガタつかず安定して保持され、且つ、平行移動（シフト）自在な状態で保持される
【００２７】
また、レンズ２１０の外縁部の厚さ（一方の端面２１１と他方の端面２１２との距離）が外装ケースの段差間距離（第１の段差面２２３と第２の段差面２２４との距離）よりも大きいため、スペーサ２６０が第２の段差面２２４にリィテイナ２７０によって固定すると、スペーサ２６０は撓んで（弾性変形して）レンズ２１０を押し付ける。
また、スペーサ２６０と第２の段差面２２４との間に隙間を設けて、レンズ２１０の他方の端面２１２とリィテイナ２７０の押し付け面２７１とでスペーサ２６０を挾持するようにしても、同様に押し付け力を発生させることができる。
なお、リィテイナ２７０は、レンズ２１０に隣接するレンズ２０１（第１群レンズに相当）を保持するレンズアダプタであってもよい。この場合、レンズアダプタでもあるリィテイナ２７０は、隣接するレンズ２０１を固定する固定爪２７２を有し、外装ケース２２１に固定用ネジ２７３によって固定されている。
【００２８】
（レンズシフト用調整棒）
以上より、レンズ２１０はスペーサ２６０の円環状のスペーサ突条２６１を介してＸＹ面と平行に摺動自在に押し付けられている（図中、左右方向）から、レンズ２１０の外側面をレンズシフト調整用棒２５０で押すこと（図中、上下方向）により、レンズ２１０は傾斜することなく容易にシフト（図中、上下方向に移動）することになる。
すなわち、ＸＹ面内でレンズをシフトさせたい方向に対応したレンズシフト用貫通孔２２５にレンズシフト用調整棒２５０を挿入して、レンズシフト用調整棒２５０の先端をレンズ２１０の外側面に当接する。そして、所定の距離だけレンズシフト用調整棒２５０を前進させることによりレンズ２１０を所望の位置に移動（シフト）することができる。
【００２９】
さらに、該シフト調整が終了した後は、レンズシフト用調整棒２５０を撤去する。このとき、レンズ２１０はスペーサ２６０のスペーサ突条２６１を介して押さえ付けられて保持されているため移動する（ズレル）ことがない。従って、レンズシフト用調整棒２５０を撤去した後に、レンズシフト用貫通孔２２５から接着剤（たとえば、紫外線の照射によって硬化するもの等）を注入してレンズ２１０を固定することができる。
なお、少なくともひとつのレンズシフト用調整棒２５０を撤去しないまま、他のレンズシフト調整用棒２５０が挿入されていないレンズシフト用貫通孔２２５に接着剤を注入してもよい。また、接着剤注入用の穴を別途設けて、レンズシフト用調整棒２５０を撤去しないまま、接着剤を注入してもよい。
よって、かかる操作が簡単であるから容易迅速にシフト調整をすることができ、さらに一旦位置決めされたレンズが移動する（ズレル）ことがないから、簡単な構造であって、シフト調整が実施された高性能な投写用レンズを得ることができる。
【００３０】
なお、レンズシフト用貫通孔２２５およびレンズシフト用調整棒２５０の数量は限定するものではなく、レンズシフト用貫通孔２２５毎にレンズシフト用調整棒２５０を挿入して適宜進退してもよい。
あるいは、ある方向のレンズシフト用貫通孔２２５にレンズシフト用調整棒２５０を挿入して前進した後、別のレンズシフト用貫通孔２２５にレンズシフト用調整棒２５０を挿入して前進してもよい。
さらに、ある方向を形成する一対のレンズシフト用貫通孔２２５（Ｖ字状に配置されている）に一対のレンズシフト用調整棒２５０を挿入して、これを協働して前進してもよい。
また、投写用レンズ２００のレンズ構成は４群に限定されるものではなく、また、各群のレンズが１枚または２枚に限定されるものではない。さらに、シフト機能を具備するレンズ群は第２群レンズ（レンズ２１０）に限定されるものではない。さらに、外装ケースが３以上の筒によって形成される場合がある。
【００３１】
（レンズシフト用ネジ棒）
図２は本発明の実施の形態１に係る投写用レンズにレンズシフト用ネジ棒を設置したものを示す断面図である。図２において、外装ケース３２０の内周面に第１の段差面３２１および第２の段差面３２２が設けられている。第１の段差面３２１および第２の段差面３２２は外装ケース３２０の軸心に垂直な平面（以下、ＸＹ面と称す）に平行である。また、側面にはレンズ２１０の固定位置に対応したＸＹ面に平行な面（以下、該平行な面をＸＹ面と称する場合がある）内で均等配置されたレンズシフト用ネジ孔３２８が螺設されている。なお、図１と同じ部分にはこれと同じ符号を付し、一部の説明を省略する。
【００３２】
したがって、スペーサ２６０を介してＸＹ面と平行に摺動自在に保持されたレンズ２１０の外側面を押せは、レンズ２１０は容易に移動（シフト）することになる。
すなわち、ＸＹ面内でシフトしたい方向に対応したレンズシフト用ネジ孔３２８にレンズシフト用ネジ棒３８０を螺合してレンズシフト用ネジ棒３８０の先端をレンズ２１０の外側面に当接する。そして、所定の回転角だけレンズシフト用ネジ棒３８０を回転して前進することによりレンズ２１０を所望の位置に移動（シフト）することができる。
【００３３】
さらに、該シフトが終了した後は、レンズシフト用ネジ棒３８０を撤去する。このとき、レンズ２１０はスペーサ２６０を介して押さえ付けられて保持されているため移動する（ズレル）ことがない。従って、レンズシフト用ネジ棒３８０を撤去してからレンズを固定することができる。
よって、かかる操作が簡単であって、レンズシフト用ネジ棒３８０の回転角度を制御することによりシフト量の精密な調整ができるため、より高性能な投写用レンズの製造が可能になる。
【００３４】
なお、レンズシフト用ネジ孔３２８およびレンズシフト用ネジ棒３８０の数量は限定するものではなく、また、両者の数量は同一でなくてもよい。たとえば、レンズシフト用ネジ孔３２８を円周上複数箇所均等配置して、各レンズシフト用ネジ孔３２８にレンズシフト用ネジ棒３８０を螺合してもよいし、シフトしたい方向に対応した特定の１または２のレンズシフト用ネジ孔３２８にのみレンズシフト用ネジ棒３８０を螺合してもよい。
【００３５】
（ケース突条）
図３は本発明の実施の形態１に係る投写用レンズにおける外装ケースを示すものであって、（ａ）は断面図、（ｂ）、（ｃ）および（ｄ）は第１の段差面を示すレンズを透視した正面図である。なお、図１と同じ部分にはこれと同じ符号を付し、一部の説明を省略する。
図３の（ａ）において、外装ケース２２１の第１の段差面２２３に断面台形または断面略半円状であるケース突条２２３ａが設置されている。
図３の（ｂ）において、正面視で円環状のケース突条２２３ａ（斜線にて表示）は全円周が連続している。
図３の（ｃ）において、正面視で同一円周上に円弧状のケース突条２２３ｂ（斜線にて表示）が等分配置されている。なお、断面は図３の（ａ）に同じである。
図３の（ｄ）において、正面視で同一円周上に複数の略円錐台状のケース突起２２３ｃ（斜線にて表示）が等分配置されている。なお、断面は図３の（ａ）に同じである。
【００３６】
したがって、連続または断続した円環状の線状形状（限定された幅）、あるいは円周上に点在する点状形状（限定された面積）の当接部によって、レンズの外縁部が均衡に支持されるから、レンズは安定して確実に保持され、且つ、レンズシフト用調整部材を押し当ててレンズをシフト調整する際には、スムーズにレンズをシフト移動させることができ、レンズをチルトさせる事無く容易にレンズのシフト調整が可能とより高品質の投写用レンズが得られる。
なお、円環状のケース突条２２３ａを二重または三重に配置してもよい。
また、円弧状のケース突条２２３ｂの配置数（円弧の開き角度に同じ）は何れの数であってもよい。また、多重に配置してもよい。さらに、一重目と二重目のケース突条２２３ｂをそれぞれを千鳥状に配置してもよい。
同様に、突起２２３ｃの数量は何れの数であってもよい。また、多重に配置してもよい。さらに、一重目と二重目のケース突条２２３ｃをそれぞれを千鳥状に配置してもよい。
【００３７】
（突起付スペーサ）
図４は本発明の実施の形態１に係る投写用レンズにおけるスペーサを示す断面図である。
図４の（ａ）において、スペーサ２６０ａのレンズが当接する面に全円周に渡って連続した円環状のスペーサ突条２６１ａが設置されている。
図４の（ｂ）において、スペーサ２６０ａのレンズが当接する面に同一円周上に円弧状のスペーサ突条２６１ｂが等分配置されている。
図４の（ｃ）において、スペーサ２６０ａのレンズが当接する面に同一円周上に複数の略円錐台状のスペーサ突起２６１ｃが等分配置されている。
なお、スペーサ突条２６１ａ〜ｃの断面は台形状のものを図示しているが、略半円状や砲弾状であってもよい。
なお、各スペーサ突条２６１ｂの開き角（円弧の長さに同じ）は全て同一なものに限定するものではなく、広いもの（長いもの）同士を三方または四方に等分配置し、これらの間に狭いもの（短いもの）を等分配置してもよい。また、スペーサ２６０ｂ同士の隙間の大きさは何れであってもよい
なお、多重の円周上のそれぞれに突起２６１ｃを等分配置してもよい。このとき、一重目と二重目の突起２６１ｃを千鳥状に配置してもよい。
なお、スペーサ２６０ａの裏面２６２ａ（スペーサ突条２６１ａ〜ｃが設置されていな面）はリィテイナ２７０の押し付け面２７１に広い幅で全円周が当接している。また、スペーサ２６０ａは、可撓性または弾性を有する材料によって全体が一体成形されるものの他に、スペーサ突条２６１ａ〜ｃのみが可撓性または弾性を有する材料によって複合的に成形されたものであってもよい。
【００３８】
したがって、スペーサ突条２６１ａ〜ｃによってレンズが挾持された場合（図１の（ｂ）参照）、レンズ２１０の他方の端面２１２に当接する部分が連続した円環状の線状形状（限定された幅）、あるいは円周上に点在する点状形状（限定された面積）の当接部によって、レンズの外縁部またはレンズを収納したレンズアダプタの外縁部が均衡に支持されるから、レンズは安定して確実に保持され、且つ、レンズシフト用調整部材を押し当ててレンズをシフト調整する際には、スムーズにレンズをシフト移動させることができ、レンズをチルトさせる事無く容易にレンズのシフト調整が可能とり高品質の投写用レンズが得られる。
【００３９】
（板バネ状スペーサ）
図５は本発明の実施の形態１に係る投写用レンズにおけるスペーサの変形例を示すものであって、（ａ）は側面図、（ｂ）は平面図である。図５において、スペーサ２６０ｇは面外方向に変形自在な板バネによって構成されている。すなわち、円周方向で波打った円環であって、図中、稜線部２６３ｇ（実線にて表示）および谷底部２６４ｇ（破線にて表示）が、それぞれ放射状に均等配置されている。
したがって、レンズ２１０の他方の端部２１２およびリィテイナ２７０の押し付け面２７１に当接する部分（図１参照）が、放射状に配置された複数の線状形状（限定された幅で所定の長さ）、あるいは円周上に点在する点状形状（限定された面積）になるから、レンズの外縁部またはレンズを収納したレンズアダプタの外縁部をより均衡に支持することができ、該当接が確実且つ安定した状態になる。
【００４０】
なお、スペーサの材質および形状（波形状の波高、波長等を含む）は任意に選定できるから、所望の押し付け力を容易に得ることが可能になるため、スペーサ自体のバネの働きによって、レンズ２１０の他方の端部２１２の外縁部を押し付けるリィテイナ２７０の押し付け力が、レンズ２１０を確実に固定ししかもスムーズなシフト移動が可能な力具合とすることができる。従って、レンズ２１０は、より一層安定して確実に保持され、且つ、レンズシフト用調整部材を押し当ててレンズをシフト調整する際には、スムーズにレンズをシフト移動させることができ、レンズ２１０のシフト調整が容易になると共に、シフト調整に際し、レンズのチルトが生じない。また、シフト調整後にレンズが移動する（ズレル）ことがないから、シフト調整の精度が向上してより高品質の投写用レンズが得られる。
【００４１】
（レンズアダプタ）
図６は本発明の実施の形態１に係る投写用レンズにおけるレンズアダプタを示す断面図である。図６の（ａ）において、レンズ２１０は外周面に設置された円環状のレンズアダプタ２１５に包持され、レンズアダプタ２１５の両端部にはそれぞれレンズアダプタフランジ２１５ａが設置されている。
したがって、外装ケース２２１の第１の段差面２２３、スペーサ２６０およびレンズシフト調整棒２５０の先端がレンズ２１０に直接当接しないため、レンズシフト用調整棒２５０からの衝撃、及び、外部からの衝撃等によるレンズ２１０を損傷を防ぐことができる。また、レンズシフト用調整棒２５０をレンズアダプタ２１５を介してレンズ２１０に押し当てる事になるので、レンズシフト用調整棒２５０が滑ったりせず、確実に当接でき、レンズ２１０を正確にシフトさせることができる。
【００４２】
図６の（ｂ）において、レンズ２１０は外周面に設置された円環状のレンズアダプタ２１６に包持され、レンズアダプタ２１６の片端部にはアダプタ突条２１６ｂを有するレンズアダプタフランジ２１６ａが設置されている。
なお、アダプタ突条２１６ｂの形態は、図３に示すケース突条２２３ａ等に準ずるため説明を省略する。
また、アダプタ突条２１５ｂの作用・効果は、外装ケース２２０の第１の段差面２２１が平坦である（突条等を具備しない）場合に発揮されるものである。
これにより、前記ケース突条２２１ａ等の作用・効果を得ることができ、かつ、前記レンズアダプタ２１５と同様の作用・効果をも得ることが出来る。
【００４３】
（リィテイナ）
図７は本発明の実施の形態１に係る投写用レンズにおけるリィテイナを示す断面図である。なお、図１と同じ部分にはこれと同じ符号を付し、一部の説明を省略する。
図７の（ａ）において、リィテイナ２７０ａ（複斜線にて表示）のスペーサ２６０に当接する押し付け面２７１ａが筒状に突出し、外装ケース２２１の第２の段差面２２４との間に空隙が設けられている。
したがって、押し付け面２７１ａの外径、スペーサ２６０の外径およびレンズ２１０の外縁部の外径を略一致させることが可能になるから、スペーサ２６０を小型にすることができる。また、押し付け面２７１ａの突出量を任意に選定することができるから、レンズ２１０の押し付け力の調整が容易になる。
なお、リィテイナ２７０ａは隣接する第１群レンズ２０１のレンズアダプタであって、第１群レンズ２０１を直接固定する固定爪２７２ａを有して外装ケース２２１に固定ネジ２７３ａにより直接固定されている。
【００４４】
図７の（ｂ）において、リィテイナ２７１ｂ（複斜線にて表示）はスペーサ２６０の押し付け専用の部材であって、薄い板厚を略Ｃ字状の切欠円環に形成したものである。
外装ケース２２１の内周面に円環溝２２７が設けられ、円環溝２２７にリィテイナ２７０ｂが嵌着されている。
したがって、円環溝２２７の設置位置を任意に選択することができるから、レンズ２１０の押し付け力の調整が容易になる。なお、隣接する第１群レンズ２０１はレンズアダプタ２７０ｂに抱持されたまま固定ネジ２７３ｂによって外装ケース２２１に固定しておけばよい。
【００４５】
図７の（ｃ）において、リィテイナ２７１ｃ（複斜線にて表示）はスペーサ２６０の押し付け専用の部材であって、薄い板厚を円環に形成したものである。
リィテイナ２７１ｃは、外装ケース２２１の第２の段差面２２４にリィテイナ固定ネジ（ボルト）２７３ｃにより固定されている。
したがって、簡素な構造によってスペーサ２６０を押し付けることができる。また、スペーサ２６０に当接する範囲のみ円筒状に突出させて、レンズ２１０の押し付け力を調整してもよい。なお、隣接する第１群レンズ２０１はレンズアダプタ２７０ｂに抱持されたまま固定ネジ（ボルト）２７３ｂによって外装ケース２２１に固定しておけばよい。
【００４６】
［実施の形態２］
図８は本発明の実施の形態２に係る投写用レンズを示す断面図であって、（ａ）は全体図、（ｂ）は部分拡大図である。図８において、４００は投写用レンズ、４１０は第２群レンズ（以下、レンズと称す）、４２０は第１の外装ケース（以下、外装ケースと称す）、４３１はクレードルチルト用偏心ピン、４３２はクレードルチルト用偏心スリーブ、４５０はレンズシフト用調整棒、４６０は可撓性または弾性を具備するクレードルスペーサ、４９０はレンズ４１０を収納する揺りかご（以下、クレードルと称す）、４２５はレンズシフト用調整棒４５０が貫通するレンズシフト用貫通孔（外装ケース４２０の側面に穿設されている）である。なお、実施の形態１と同じ部分は、一部の説明を省略する。
【００４７】
（クレードル）
クレードル４９０は、両端にクレードル内フランジ４９１、４９２を具備する円環であって、外周部にクレードルチルト用偏心ピン４３１の先端が係止する係止用クレードル凹部４９３が設置されている。
レンズ４１０は外縁部の一方の面４１１が一方のクレードル内フランジ４９１に摺動自在に当接し、レンズ４１０の外縁部の他方の面４１２にクレードルスペーサ４６０のクレードル突条４６１が摺動自在に押し付けられている。
【００４８】
そして、クレードルスペーサ４６０は他方のクレードル内フランジ４９２に保持されている。すなわち、クレードルスペーサ４６０はレンズ４１０と他方のクレードル内フランジ４９２によって挾持されて弾性圧縮されているから、該弾性反発力によってレンズ４１０は一方のクレードル内フランジ４９１に押し付けられている。
したがって、レンズ４１０は容易に移動する（ズレル）ことがなく、また、レンズ４１０の外側面を押せば、レンズ４１０は一方のクレードル内フランジ４９１に沿って移動することになる。
なお、クレードルスペーサ４６０（クレードル突条４６１を含む）の構造、作用および効果はスペーサ２６０（スペーサ突条２６１を含む、図１参照）に同じであるから、説明を省略する。
【００４９】
（クレードルチルト用偏心ピン）
外装ケース４２０の外周面でレンズ４１０に対応したＸＹ面（外装ケース４２０の軸心に垂直な面）内に、３または４箇所均等にクレードルチルト用貫通孔４２３が穿設されている。そして、クレードルチルト用貫通孔４２３にクレードルチルト用偏心スリーブ４３２が回転自在に設置され、クレードルチルト用偏心スリーブ４３２にはクレードルチルト用偏心ピン４３１が嵌設されている。
クレードルチルト用偏心ピン４３１の中心がクレードルチルト用偏心スリーブ４３２の回転中心（クレードルチルト用貫通孔４２３の中心に同じ）から偏位している（一致していない）ため、クレードルチルト用偏心スリーブ４３２を回転すると、クレードルチルト用偏心ピン４３１の中心は外装ケース４２０の軸心の方向に移動することになる。
【００５０】
すなわち、複数のクレードルチルト用偏心スリーブ４３２を回転させると、クレードルチルト用偏心ピン４３１はＸＹ面に対して垂直方向にクレードル４９０を移動させるように案内することになるから、、レンズ４１０は外装ケース４２０の軸心に対してチルトすることになる。
なお、クレードルチルト用偏心スリーブ４３２にクレードルチルト用偏心ピン４３１が嵌設されたものをクレードルチルト用偏心ピン４３１と称する場合（たとえば、両者を一体成形した場合）がある。
【００５１】
（レンズシフト用調整棒）
外装ケース４２０の外周面のレンズ４１０に対応したＸＹ面内に複数箇所のレンズシフト用貫通孔４２５が穿設され、クレードル４９０の側面に、レンズシフト用貫通孔４２５と同位相にレンズシフト用クレードル貫通孔４９５が穿設されている。
【００５２】
したがって、クレードル４９０を所望の角度だけ傾斜（チルト）した後、ＸＹ面内でシフトしたい方向に対応したレンズシフト用貫通孔４２５およびレンズシフト用クレードル貫通孔４９５にレンズシフト用調整棒４５０を挿入してその先端をクレードル４９０の外側面に当接する。そして、所定の距離だけレンズシフト用調整棒４５０を前進することによりレンズ４１０を所望の位置に移動（シフト）することができる。
なお、かかるシフト方法は実施例１に同じであるため、詳細な説明を省略する。また、クレードルチルト用貫通孔４２３とレンズシフト用貫通孔４２５は、同一面内に配置される場合がある。また、両者の数量は限定するものではなく、また相互に相違してもよい（たとえば、クレードルチルト用貫通孔４２３が３箇所、レンズシフト用貫通孔４２５が４箇所）。
【００５３】
（レンズシフト用ネジ棒）
図９は本発明の実施の形態１に係る投写用レンズにレンズシフト用ネジ棒を設置したものを示す断面図である。すなわち、レンズシフト用調整棒に代えてレンズシフト用ネジ棒を採用したものである。
図９において、５００は投写用レンズ、５２０は第１の外装ケース（以下、外装ケースと称す）、５８０はレンズシフト用ネジ棒である。なお、図８と同じ部分にはこれと同じ符号を付し、一部の説明を省略する。
【００５４】
外装ケース５２０の外周面で外装ケース５２０の軸心に垂直な面内に、３または４箇所均等にクレードルチルト用貫通孔５２３が穿設されている。そして、クレードルチルト用貫通孔５２３にクレードルチルト用偏心スリーブ４３２が回転自在に設置され、クレードルチルト用偏心スリーブ４３２にはクレードルチルト用偏心ピン４３１が嵌設されている。したがって、前記と同様にクレードル４９０を傾斜（チルト）することができる。詳細な説明を省略する。
【００５５】
外装ケース５２０の外周面のレンズ４１０に対応した外装ケース５２０の軸心に垂直な面（以下、ＸＹ面と称す）内に、３または４箇所均等のレンズシフト用ネジ孔（ネジ孔）５２８が螺設され、クレードル４９０の側面にも、レンズシフト用ネジ孔５２８と同位相にレンズシフト用クレードル貫通孔４９５が穿設されている。
したがって、クレードル４９０を所望の角度だけ傾斜（チルト）した後、ＸＹ面内でシフトしたい方向に対応したレンズシフト用ネジ孔５２８にレンズシフト用ネジ棒５８０を螺合して前進させ、シフト用クレードル貫通孔４９５を貫通してその先端をクレードル４９０の外側面に当接する。そして、所定の角度だけレンズシフト用ネジ棒５８０を回転することによってレンズ４１０を所望の位置に移動（シフト）することができる。なお、かかるシフト方法は前記と同じであるため、詳細な説明を省略する。
さらに、クレードルチルト用貫通孔５２３とレンズシフト用ネジ孔５２８は、同一面内に配置される場合がある。また、両者の数量は限定するものではなく、また相互に相違してもよい（たとえば、クレードルチルト用貫通孔５２３が３箇所、レンズシフト用ネジ孔５２８が４箇所）。
【００５６】
さらに、かかるチルト調整およびシフト調整が終了した後は、前記と同様にレンズ４１０を固定することができる。
以上より、チルト調整および高精度のシフト調整を簡単に実施することができるから、投写用レンズの性能をより高めることができ、またその製造コストを低減することが可能になる。
【００５７】
［実施の形態３］
（プロジェクタ）
図１０は本発明の実施の形態２に係るプロジェクタを上面側から見た概略斜視図である。図１０において、プロジェクタ１は、光源としての光源装置から出射された光束を赤（Ｒ）、緑（Ｇ）、青（Ｂ）の三原色に分離し、これらの各色光束を電気光学装置を構成する液晶パネルを通して画像情報に対応させて変調し、変調した後の各色の変調光束をクロスダイクロイックプリズム（色合成光学系）により合成して、投写用レンズ６（実施の形態１に係る投写用レンズに同じ）を介して投写面上に拡大表示する形式のものである。
投写用レンズ６は、その他の構成部品と同様に外装ケース２の内部に収納されているが、必要に応じて外装ケース２から突出可能な機構になっている。
なお、プロジェクタ１は、投写面を観察する方向から画像投写を行う前面プロジェクタ、あるいは投写面を観察する方向とは反対側から画像投写を行う背面プロジェクタのいずれであってもよい。
【００５８】
（外装ケースの構造）
外装ケース２は、装置上面を覆うアッパーケース３と、装置底面を構成するロアーケース４と、正面部分を覆うフロントケース５とから基本的に構成され、フロントケース５には、投写用レンズ６が突出可能なように開口部が設けられている。
【００５９】
（装置の内部構造）
外装ケース２の内部には、光源ランプユニット８、電源としての電源ユニット（図示せず）、光学ユニット１０、ドライバーボード（図示せず）、メインボード（図示せず）、ＡＶボード（図示せず）などが配置されている。
そして、光源ランプユニット８、光学ユニット１０および投写用レンズ６によって平面Ｕ字形上の光学系が構成され、各ボードで制御系が構成されている（以下、詳細に説明する）。
【００６０】
（光学系の構造）
図１１および図１２はそれぞれ本発明の実施の形態２に係るプロジェクタの光学系を上面側から見た概略斜視図および光学系の構造を説明する模式図である。図１１および図１２において、光学ユニット１０は、それぞれライトガイド９０内に収容された照明光学系３０と、色分離光学系４０と、リレー光学系７０と、電気光学装置５０と、色合成光学系としてのクロスダイクロイックプリズム６０と、ライトガイド９０のヘッド板９３に固定された投写用レンズ６（実施の形態１に係る投写用レンズに同じ）とで構成されている。
【００６１】
光学ユニット１０において、光源装置８３から出射された略平行な光束は、第１と第２のレンズアレイ３１、３２によって複数の部分光束に分割される。第１のレンズアレイ３１の小レンズ３１Ａから出射された部分光束は重畳レンズ３４によって、液晶パネル５０Ｒ、５０Ｇ、５０Ｂの画像形成領域上で概ね重畳される。その結果、各液晶パネル５０Ｒ、５０Ｇ、５０Ｂは、面内分布がほぼ均一な照明光によって照明される。
【００６２】
この際、色光分離光学系４０の第１のダイクロイックミラー４１では、照明光学系３０から出射された光束の赤色光成分が反射するとともに、青色光成分と緑色光成分とが透過する。第１ダイクロイックミラー４１によって反射した赤色光は、反射ミラー４３で反射し、フィールドレンズ５３を通って赤色用の液晶パネル５０Ｒに達する。このフィールドレンズ５３は、第２のレンズアレイ３２から出射された各部分光束をその中心軸（主光線）に対して平行な光束に変換する。他の液晶パネル５０Ｇ、５０Ｂの前に設けられたフィールドレンズ５４、５５も同様である。
【００６３】
第１のダイクロイックミラー４１を透過した青色光と緑色光のうちで、緑色光は第２のダイクロイックミラー４２によって反射し、フィールドレンズ５４を通って緑色用の液晶パネル５０Ｇに達する。
一方、青色光は第２のダイクロイックミラー４２を透過してリレー光学系７０を通り、さらにフィールドレンズ５５を通って青色用の液晶パネル５０Ｂに達する。なお、青色光にリレー光学系７０が用いられているのは、青色光の光路の長さが他の色光の光路よりも長いため、光の拡散等による光の利用効率の低下を防止するためである。すなわち、入射側レンズ７１に入射した部分光束をそのままフィールドレンズ５５に伝えるためである。
【００６４】
赤、緑、青の各色光は、液晶パネル５０Ｒ、５０Ｇ、５０Ｂに入射するにあたり、入射側偏光板５１Ｒ、５１Ｇ、５１Ｂで特定の偏光光のみとされる。この後、各偏光光は、各液晶パネル５０Ｒ、５０Ｇ、５０Ｂにおいて与えられた画像上方に従って変調され、変調光として出射側偏光板５２Ｒ、５２Ｇ、５２Ｂに出射される。そして、出射側偏光板５２Ｒ、５２Ｇ、５２Ｂにおいては、変調光のうちの特定の偏光のみが透過し、クロスダイクロイックプリズム６０に出射される。
出射された各色光の偏光光は、クロスダイクロイックプリズム６０で合成されて合成光となり、投写用レンズ６の方向に出射される。この合成光は、投写用レンズ６により投写スクリーン等の投写面上にカラー画像として投写される。
【００６５】
なお、本発明は、前記実施の形態に限られるものではなく、その要旨を逸脱しない範囲において種々の態様において実施することが可能である。例えば次のような態様も可能である。
（態様その１）
プロジェクタ１は、光源装置８３の光を複数の部分光束に分割する２つのレンズアレイ３１、３２を用いていたが、本発明はこのようなレンズアレイを用いないプロジェクタにも適用可能である。
（態様その２）
プロジェクタ１は、光変調装置として液晶ライトバルブを用いていたが、本発明は液晶ライトバルブ以外の変調装置、例えばマイクロミラーによって画素が構成される変調装置を用いたプロジェクタにも適用することが可能である。
（態様その３）
プロジェクタ１は、光変調装置を３つ用いていたが、本発明は、光変調装置を１つ、２つ、あるいは４つ以上用いたプロジェクタにも適用することが可能である。
【００６６】
（態様その４）
プロジェクタ１は、透過型のプロジェクタについて説明したが、前記のように反射型プロジェクタにも適用することが可能である。
ここで、「透過型」とは、液晶ライトバルブ等のライトバルブが光を透過するタイプであることを意味しており、「反射型」とは、ライトバルブが光を反射するタイプであることを意味している。
反射型プロジェクタの場合、ライトバルブは液晶パネルのみによって構成することが可能であり、一対の偏光板は不要である。また、反射型プロジェクタでは、クロスダイクロイックプリズムは、光源装置から出射された光を赤、緑、青の３色の光に分離する色光分離手段として利用されると共に、変調された３色の光を再度合成して同一の方向に出射する色光合成手段としても利用される場合がある。
また、クロスダイクロイックプリズムではなく、三角柱や四角柱状のダイクロイックプリズムを複数組み合わせたダイクロイックプリズムを用いる場合もある。
反射型のプロジェクタに本発明を適用した場合にも、透過型のプロジェクタとほぼ同様な効果を得ることができる。
なお、ライトバルブは液晶ライトバルブに限られず、例えばマイクロミラーを用いたライトバルブであっても良い。
【図面の簡単な説明】
【図１】  本発明の実施の形態１に係る投写用レンズを示す断面図。
【図２】  本発明に係る投写用レンズにネジ棒を設置した断面図。
【図３】  発明に係る投写用レンズの外装ケースを示す断面図と正面図。
【図４】  本発明に係る投写用レンズのスペーサを示す断面図。
【図５】  本発明に係る投写用レンズのスペーサを示す側面図と平面図。
【図６】  本発明に係る投写用レンズのレンズアダプタを示す断面図。
【図７】  本発明に係る投写用レンズのリィテイナを示す断面図。
【図８】  本発明の実施の形態２に係る投写用レンズを示す断面図。
【図９】  本発明に係る投写用レンズにネジ棒を設置した断面図。
【図１０】  本発明の実施の形態３に係るプロジェクタの概略斜視図。
【図１１】  本発明に係るプロジェクタの光学系の概略斜視図。
【図１２】  本発明に係るプロジェクタの光学系の構造を説明する模式図。
【図１３】  従来の投写用レンズを示す断面図。
【図１４】  従来の投写用レンズにおけるチルト用偏心ピンを説明する模式図。
【符号の説明】
１  プロジェクタ、２  外装ケース、６  投写用レンズ、２００  投写用レンズ、２２０  外装ケース、２２１  第１の外装ケース、２２２  第２の外装ケース、２５０  レンズシフト用調整棒、２６０  スペーサ、２６１  スペーサ突条、２７０  リィテイナ、４３１  クレードルチルト用偏心ピン、４３２  クレードルチルト用偏心スリーブ、４６０  クレードルスペーサ、４６１  クレードル突条、４９０  クレードル
【図１】
0003685174.tif 000002
【図２】
0003685174.tif 000003
【図３】
0003685174.tif 000004
【図４】
0003685174.tif 000005
【図５】
0003685174.tif 000006
【図６】
0003685174.tif 000007
【図７】
0003685174.tif 000008
【図８】
0003685174.tif 000009
【図９】
0003685174.tif 000010
【図１０】
0003685174.tif 000011
【図１１】
0003685174.tif 000012
【図１２】
0003685174.tif 000013
【図１３】
0003685174.tif 000014
【図１４】
0003685174.tif 000015